(57)【要約】  障害復旧に伴う処理を簡素化することを課題とする。この課題を解決するため、伝送装置は、複数のリングの一部を共用して構成されたネットワークにおける各リングからフレームを受信した場合に、受信されたフレームに、各リングにて障害が発生したことを示す障害情報が含まれているか否かを判定する判定部と、判定部によって障害情報が含まれていると判定されたフレームを、複数のリングの共用部で用いられるフレームである共用フレームにマッピングするマッピング部とを備えた。これにより、障害復旧に伴う処理を簡素化することができる。
2011114537.tif 000002
【特許請求の範囲】
【請求項１】
複数のリングの一部を共用して構成されたネットワークにおける前記各リングからフレームを受信した場合に、受信されたフレームに、前記各リングにて障害が発生したことを示す障害情報が含まれているか否かを判定する判定部と、
前記判定部によって前記障害情報が含まれていると判定された前記フレームを、前記複数のリングの共用部で用いられるフレームである共用フレームにマッピングするマッピング部と
を備えたことを特徴とする伝送装置。
【請求項２】
前記マッピング部は、前記判定部によって前記障害情報が含まれていないと判定された前記フレームの一部を前記共用フレームに予めマッピングし、前記判定部によって前記障害情報が前記フレームに含まれていると判定された場合に、前記共用フレームに予めマッピングされた前記フレームの一部を拡張することで、前記フレームを前記共用フレームにマッピングすることを特徴とする請求項１に記載の伝送装置。
【請求項３】
前記複数のリングの共用部は並列な複数のリンクを備え、
前記判定部は、前記複数のリンクの１つから受信されたフレームに、該リンクにて障害が発生したことを示す障害情報が含まれているか否かを判定し、
前記マッピング部は、前記判定部によって前記障害情報が含まれていると判定された前記フレームを、前記並列な複数のリンクのうちで前記障害が発生したリンク以外のリンクで用いられるフレームにマッピングすることを特徴とする請求項１に記載の伝送装置。
【請求項４】
伝送装置が、
複数のリングの一部を共用して構成されたネットワークにおける前記各リングから入力されるフレームに、前記各リングにて障害が発生したことを示す障害情報が含まれているか否かを判定する判定ステップと、
前記判定ステップによって前記障害情報が含まれていると判定された前記フレームを、前記複数のリングの共用部で用いられるフレームである共用フレームにマッピングするマッピングステップと
を含んだことを特徴とする障害復旧方法。
【請求項５】
前記マッピングステップは、前記判定ステップによって前記障害情報が含まれていないと判定された前記フレームの一部を前記共用フレームに予めマッピングし、前記判定ステップによって前記障害情報が前記フレームに含まれていると判定された場合に、前記共用フレームに予めマッピングされた前記フレームの一部を拡張することで、前記フレームを前記共用フレームにマッピングすることを特徴とする請求項４に記載の障害復旧方法。
【請求項６】
前記複数のリングの共用部は並列な複数のリンクを備え、
前記判定ステップは、前記複数のリンクの１つから受信されたフレームに、該リンクにて障害が発生したことを示す障害情報が含まれているか否かを判定し、
前記マッピングステップは、前記判定ステップによって前記障害情報が含まれていると判定された前記フレームを、前記並列な複数のリンクのうちで前記障害が発生したリンク以外のリンクで用いられるフレームにマッピングすることを特徴とする請求項４に記載の障害復旧方法。
【請求項７】
複数のリングの一部を共用して構成されたネットワークシステムであって、
前記複数のリングの共用部の両端に接続された伝送装置が、
前記各リングからフレームを受信した場合に、受信されたフレームに、前記各リングにて障害が発生したことを示す障害情報が含まれているか否かを判定する判定部と、
前記判定部によって前記障害情報が含まれていると判定された前記フレームを、前記複数のリングの共用部で用いられるフレームである共用フレームにマッピングするマッピング部と
を備えたことを特徴とするネットワークシステム。
【請求項８】
前記マッピング部は、前記判定部によって前記障害情報が含まれていないと判定された前記フレームの一部を前記共用フレームに予めマッピングし、前記判定部によって前記障害情報が前記フレームに含まれていると判定された場合に、前記共用フレームに予めマッピングされた前記フレームの一部を拡張することで、前記フレームを前記共用フレームにマッピングすることを特徴とする請求項７に記載のネットワークシステム。
【請求項９】
前記複数のリングの共用部は並列な複数のリンクを備え、
前記判定部は、前記複数のリンクの１つから受信されたフレームに、該リンクにて障害が発生したことを示す障害情報が含まれているか否かを判定し、
前記マッピング部は、前記判定部によって前記障害情報が含まれていると判定された前記フレームを、前記並列な複数のリンクのうちで前記障害が発生したリンク以外のリンクで用いられるフレームにマッピングすることを特徴とする請求項７に記載のネットワークシステム。
【発明の詳細な説明】
【技術分野】
【０００１】
本発明は、伝送装置、障害復旧方法及びネットワークシステムに関する。
【背景技術】
【０００２】
近年、大容量のデータ伝送に対する需要の拡大に伴い、高速なディジタル伝送方式を用いて大規模なネットワークを構築することが行われている。ディジタル伝送方式の規格としては、国際電気通信連合（ＩＴＵ−Ｔ：International  Telecommunication  Union  Telecommunication  standardization  sector）の勧告Ｇ．７０９により規定されたＯＴＮ（Optical  Transport  Network）を用いることが検討されている。ＯＴＮは、ディジタル化された主信号（ペイロード）に対して伝送装置等の保守運用を行うための信号（オーバーヘッド）が付加された信号であるフレームを伝送するものである。【０００３】
ＯＴＮを用いて大規模なネットワークを構築する方式としては、例えば、伝送装置間をリング状の回線で接続するＢＬＳＲ（Bi-directional  Line  Switched  Ring）方式がある。そして、ＢＬＳＲ方式で構築されたリングネットワークには、障害発生時にネットワークを復旧するためのＡＰＳ（Automatic  Protection  Switching）機能を採用するものが存在する。ＡＰＳ機能を採用するＢＬＳＲ方式のリングネットワーク（以下「ＡＰＳ／ＢＬＳＲリングネットワーク」という）では、フレームのオーバーヘッドに格納されるＡＰＳバイトを伝送装置間で互いに通知し合うことで、高速な障害復旧を実現している。例えば、ＡＰＳ／ＢＬＳＲリングネットワークでは、障害として信号断（ＳＦ：Signal  Fail）が発生した際に、ＳＦを格納したＡＰＳバイトを用いて隣接する装置へ自装置の情報を通知し、現在運用している回線を予備側の回線へ切り替えることでネットワークを復旧する。【０００４】
ここで、更なる大規模ネットワークを構築しようとした場合、複数のリングネットワークを相互に接続したマルチリング構成を実現することが望まれる。このようなマルチリング構成としては、図１１に示したものが提案されている。図１１は、従来のマルチリング構成を示す図である。同図に示すように、従来のマルチリング構成では、リングネットワークＡ内の２つの伝送装置とリングネットワークＢ内の２つの伝送装置とが相互に接続される。
【先行技術文献】
【特許文献】
【０００５】
【特許文献１】特開２００３−１８８９１号公報
【特許文献２】特開２００４−２６６４８０号公報
【特許文献３】特開２００３−１０１５５９号公報
【特許文献４】特開２００２−２３２４４２号公報
【発明の概要】
【発明が解決しようとする課題】
【０００６】
しかしながら、上記した従来のマルチリング構成では、リングネットワーク内にてＡＰＳバイトの通知を行うことに加えて、相互に接続された計４つの伝送装置間で独自のスイッチング処理を行うため、障害復旧に伴う処理が複雑化するという問題がある。【０００７】
開示の技術は、上述した従来技術の課題を解決するためになされたものであり、障害復旧に伴う処理を簡素化することができる伝送装置、障害復旧方法及びネットワークシステムを提供することを目的とする。
【課題を解決するための手段】
【０００８】
本願の開示する伝送装置は、複数のリングの一部を共用して構成されたネットワークにおける前記各リングからフレームを受信した場合に、受信されたフレームに、前記各リングにて障害が発生したことを示す障害情報が含まれているか否かを判定する判定部と、前記判定部によって前記障害情報が含まれていると判定された前記フレームを、前記複数のリングの共用部で用いられるフレームである共用フレームにマッピングするマッピング部とを備えた。
【発明の効果】
【０００９】
本願の開示する伝送装置の一つの態様によれば、障害復旧に伴う処理を簡素化することができるという効果を奏する。
【図面の簡単な説明】
【００１０】
【図１】図１は、実施例１に係る伝送装置を含んだネットワークの構成を示す図である。
【図２】図２は、実施例２に係る伝送装置による障害復旧方法について説明するための図である。
【図３】図３は、実施例２に係る伝送装置の構成を示すブロック図である。
【図４】図４は、実施例２に係る伝送装置による処理手順を示すフローチャートである。
【図５】図５は、実施例３に係る伝送装置による障害復旧方式について説明するための図である。
【図６】図６は、実施例３に係る伝送装置の構成を示すブロック図である。
【図７】図７は、実施例３に係る伝送装置による処理手順を示すフローチャートである。
【図８】図８は、伝送装置の他の構成例１を説明するための図である。
【図９】図９は、伝送装置の他の構成例２を説明するための図である。
【図１０】図１０は、伝送装置の他の構成例３を説明するための図である。
【図１１】図１１は、従来のマルチリング構成を示す図である。
【発明を実施するための形態】
【００１１】
以下に、本願の開示する伝送装置、障害復旧方法及びネットワークシステムの実施例を図面に基づいて詳細に説明する。
【実施例１】
【００１２】
まず、実施例１に係る伝送装置の構成について説明する。図１は、実施例１に係る伝送装置を含んだネットワークの構成を示す図である。図１に示したネットワークは、３つのリング１〜３を含むマルチリング構成をとっている。リング１は、伝送装置１０ａ、１０ｂ、１０ｃ、１０ｄ及び１０ｅを接続する。リング２は、伝送装置１０ａ、１０ｆ、１０ｇ、１０ｈ及び１０ｅを接続する。リング３は、伝送装置１０ａ、１０ｉ、１０ｊ、１０ｋ及び１０ｅを接続する。なお、図１に示した例では、３つのリング１〜３と１１個の伝送装置１０ａ〜１０ｋを示したが、リングや伝送装置の数は、これに限られない。【００１３】
また、図１に示したネットワークは、リング１〜３において、伝送装置１０ａと伝送装置１０ｅの区間を共用している。共用部に設置された伝送装置１０ａと伝送装置１０ｅとが、本実施例に係る伝送装置である。他の伝送装置は、ＡＰＳ／ＢＬＳＲリングネットワークに適用される公知の伝送装置である。本実施例に係る伝送装置１０ａ及び伝送装置１０ｅは、いずれも同様の構成を有するため、以下では伝送装置１０ａを例にして説明する。【００１４】
図１に示すように、伝送装置１０ａは、判定部１１と、マッピング部１２とを有する。判定部１１は、各リング１〜３からフレームを受信した場合に、受信されたフレームに、各リング１〜３にて障害が発生したことを示す障害情報が含まれているか否かを判定する。マッピング部１２は、判定部１１によって障害情報が含まれていると判定されたフレームを、複数のリング１〜３の共用部で用いられるフレームである共用フレームにマッピングする。【００１５】
ここで、判定部１１及びマッピング部１２による障害復旧方式について図１を用いて具体的に説明する。通常運用の状態において、リング１の伝送装置１０ｄは、リング１の伝送装置１０ｃ、１０ｂ及び１０ａとリング３の伝送装置１０ａ及び１０ｉとを経由する経路Ｐ１を用いてリング３の伝送装置１０ｊとの間でフレームを送受するものとする。同様に、リング２の伝送装置１０ｈは、リング２の伝送装置１０ｇ、１０ｆ及び１０ａとリング３の伝送装置１０ａ及び１０ｉとを経由する経路Ｐ２を用いてリング３の伝送装置１０ｊとの間でフレームを送受するものとする。この状態では、判定部１１は、各リング１〜３から受信したフレームに障害情報が含まれているか否かを判定し、障害情報が含まれていないと判定する。各リング１〜３から受信したフレームに障害情報が含まれていないため、マッピング部１２は、これらのフレームを共用フレームにマッピングしない。【００１６】
ここで、リング１における伝送装置１０ｂと伝送装置１０ｃとの間の回線に障害１３が発生したものとする。伝送装置１０ｂ及び伝送装置１０ｃは、障害１３を検知すると、リング１にて障害が発生したことを示す障害情報をフレームに含め、障害情報を含んだフレームを、これまで使用していた経路Ｐ１とは反対側の予備の経路Ｐ３に切り替えて送信する。障害１３が発生した状態では、判定部１１は、各リング１〜３から受信したフレームに障害情報が含まれているか否かを判定し、リング１にて障害が発生したことを示す障害情報が含まれていると判定する。そして、マッピング部１２は、判定部１１によって障害情報が含まれていると判定されたリング１からのフレームを共用フレームにマッピングし、マッピング後の共用フレームを共用部である伝送装置１０ａと伝送装置１０ｅとの間の回線に送出する。【００１７】
これにより、リング１にて発生した障害１３が復旧され、リング１の伝送装置１０ｄは、リング３の伝送装置１０ｊとの間でフレームの送受を再開することができる。例えば、リング３の伝送装置１０ｊからのフレームは、伝送装置１０ｉ、１０ａを経由してリング１の伝送装置１０ｂに到達し、さらに伝送装置１０ｂで折り返して伝送装置１０ａに戻る。そして、リング３の伝送装置１０ｊからのフレームは、伝送装置１０ａにより共用フレームにマッピングされ、マッピング後の共用フレームは、伝送装置１０ａから伝送装置１０ｅに送信される。そして、リング３の伝送装置１０ｊからのフレームは、伝送装置１０ｅにより共用フレームからデマッピングされた後、伝送装置１０ｄを経由して伝送装置１０ｃに到達し、さらに伝送装置１０ｃで折り返してリング１の伝送装置１０ｄに到達する。【００１８】
このように、実施例１に係る伝送装置１０ａは、複数のリングの一部を共用したネットワークにおける各リングから受信したフレームに障害情報が含まれると、障害情報が含まれるリングからのフレームをリングの共用部で用いる共用フレームにマッピングする。このため、伝送装置１０ａは、フレームのオーバーヘッドに格納される既存のＡＰＳバイトの障害情報を用いるだけで障害を復旧することができ、従来のマルチリング構成における独自のスイッチング処理を省略することができる。その結果、伝送装置１０ａは、障害復旧に伴う処理を簡素化することができる。
【実施例２】
【００１９】
次に、上記実施例１において説明した伝送装置について、具体例を用いて説明する。実施例２では、上記実施例１において説明した伝送装置を、ＩＴＵ−Ｔの勧告Ｇ．７０９により規定されたＯＴＮを採用する伝送装置に適用する例について説明する。ＯＴＮは、ＩＴＵ−Ｔで規格化されたＯＴＵ（Optical  channel  Transport  Unit）フレームと呼ばれるフレームにデータを収容する伝送方式である。以下では、実施例２に係る伝送装置による障害復旧方法について説明した後、実施例２に係る伝送装置の構成について説明する。【００２０】
まず、実施例２に係る伝送装置による障害復旧方法について説明する。図２は、実施例２に係る伝送装置による障害復旧方法について説明するための図である。図２に示したネットワークは、３つのリング１〜３を含んだマルチリング構成をとっている。リング１は、伝送装置１１０ａ、１１０ｂ、１１０ｃ、１１０ｄ及び１１０ｅを接続する。リング２は、伝送装置１１０ａ、１１０ｆ、１１０ｇ、１１０ｈ及び１１０ｅを接続する。リング３は、伝送装置１１０ａ、１１０ｉ、１１０ｊ、１１０ｋ及び１１０ｅを接続する。なお、図１に示した例では、３つのリング１〜３と１１個の伝送装置１１０ａ〜１１０ｋを示したが、リングや伝送装置の数は、これに限られない。【００２１】
また、図２に示したネットワークは、リング１〜３において、伝送装置１１０ａと伝送装置１１０ｅの区間を共用している。共用部に設置された伝送装置１１０ａと伝送装置１１０ｅとが、本実施例に係る障害復旧方式を実行する伝送装置である。他の伝送装置は、ＡＰＳ／ＢＬＳＲリングネットワークに適用される公知の伝送装置である。本実施例に係る伝送装置１１０ａ及び伝送装置１１０ｅは、いずれも同様の構成を有するため、以下では伝送装置１１０ａを例にして説明する。【００２２】
本実施例に係る障害復旧方式では、複数のリングの一部を共用したネットワークにおける各リングから受信したＯＴＵフレームに障害情報が含まれると、障害情報が含まれるリングからのＯＴＵフレームをリングの共用部で用いるＯＴＵフレームにマッピングする。【００２３】
通常運用の状態において、リング１の伝送装置１１０ｄは、リング１の伝送装置１１０ｃ、１１０ｂ及び１１０ａとリング３の伝送装置１１０ａ及び１１０ｉとを経由する経路Ｐ１を用いてリング３の伝送装置１１０ｊとの間でＯＴＵフレームを送受するものとする。同様に、リング２の伝送装置１１０ｈは、リング２の伝送装置１１０ｇ、１１０ｆ及び１１０ａとリング３の伝送装置１１０ａ及び１１０ｉとを経由する経路Ｐ２を用いてリング３の伝送装置１１０ｊとの間でＯＴＵフレームを送受するものとする。この状態では、伝送装置１１０ａは、各リング１〜３から受信したＯＴＵフレームに障害情報が含まれているか否かを判定し、障害情報が含まれていないと判定する。このため、伝送装置１１０ａは、これらのＯＴＵフレームを共用部である伝送装置１１０ａと伝送装置１１０ｅとの間の回線で用いられるＯＴＵフレーム（以下「共用ＯＴＵフレーム」という）にマッピングしない。したがって、共用ＯＴＵフレームのＯＰＵ（Optical  channel  Payload  Unit）−Ｐａｙｌｏａｄは、何らのデータも収容されていないことを示すｎｕｌｌとなっている（状態２０）。【００２４】
なお、共用ＯＴＵフレームのＯＤＵ−ＯＨ（Optical  Data  Unit  Overhead）のＡＰＳ／ＰＣＣ（Automatic  Protection  Switching  /  Protection  Communication  Channel）は、ＭＦＡＳ（Multi-Frame  Alignment  Signal）、Ｒｉｎｇ＃、Ｓｔａｔｅを対応付けている。ＭＦＡＳは、共用ＯＴＵフレームにマッピングされるＯＴＵフレームの種別を示す。Ｒｉｎｇ＃は、ＭＦＡＳで示されるＯＴＵフレームが伝送されるリングを一意に識別する識別子を示す。Ｓｔａｔｅは、Ｒｉｎｇ＃で識別されるリングの状態を示し、通常運用を示すＮＲ（No  Request）や信号断を示すＳＦ（Signal  Fail）が格納される。例えば、上記の通常運用の状態において、ＭＦＡＳ「＊＊＊＊０００１」で示されるＯＴＵフレームが伝送されるＲｉｎｇ＃「１」（リング１）の状態Ｓｔａｔｅが、「ＮＲ」（通常運用）であることが分かる。【００２５】
ここで、リング１における伝送装置１１０ｂと伝送装置１１０ｃとの間の回線にＳＦ等の障害１１３が発生したものとする。伝送装置１１０ｂ及び伝送装置１１０ｃは、障害１１３を検知すると、リング１にて障害が発生したことを示す障害情報をＯＴＵフレームに含め、障害情報を含んだＯＴＵフレームを、これまで使用していた経路Ｐ１とは反対側の予備の経路Ｐ３に切り替えて送信する。障害１１３が発生した状態では、伝送装置１１０ａは、各リング１〜３から受信したＯＴＵフレームに障害情報が含まれているか否かを判定し、リング１にて障害が発生したことを示す障害情報が含まれていると判定する。そして、伝送装置１１０ａは、障害情報が含まれていると判定されたリング１からのＯＴＵフレームを共用ＯＴＵフレームにマッピングし、マッピング後の共用フレームを共用部である伝送装置１１０ａと伝送装置１１０ｅとの間の回線に送出する。共用ＯＴＵフレームのＯＰＵ−Ｐａｙｌｏａｄには、リング１からのＯＴＵフレームのＯＤＵであるＯＤＵｘが収容される（状態２１）。【００２６】
なお、状態２１の共用ＯＴＵフレームのＯＤＵ−ＯＨのＡＰＳ／ＰＣＣでは、ＭＦＡＳ「＊＊＊＊０００１」で示されるＯＴＵフレームが伝送されるＲｉｎｇ＃「１」（リング１）の状態Ｓｔａｔｅが、「ＮＲ」（通常運用）から「ＳＦ」（信号断）に変更される。【００２７】
状態２０から状態２１への遷移により、リング１にて発生した障害１１３が復旧され、リング１の伝送装置１１０ｄは、リング３の伝送装置１１０ｊとの間でＯＴＵフレームの送受を再開することができる。例えば、リング３の伝送装置１１０ｊからのＯＴＵフレームは、伝送装置１１０ｉ、１１０ａを経由してリング１の伝送装置１１０ｂに到達し、さらに伝送装置１１０ｂで折り返して伝送装置１１０ａに戻る。そして、伝送装置１１０ｊからのＯＴＵフレームは、伝送装置１１０ａにより共用ＯＴＵフレームにマッピングされ、マッピング後の共用ＯＴＵフレームは、伝送装置１１０ａから伝送装置１１０ｅに送信される。そして、伝送装置１１０ｊからのＯＴＵフレームは、伝送装置１１０ｅにより共用ＯＴＵフレームからデマッピングされた後、伝送装置１１０ｄを経由して伝送装置１１０ｃに到達し、さらに伝送装置１１０ｃで折り返してリング１の伝送装置１１０ｄに到達する。【００２８】
このように、本実施例に係る障害復旧方式では、複数のリングの一部を共用したネットワークにおける各リングから受信したＯＴＵフレームに障害情報が含まれると、障害情報が含まれるリングからのＯＴＵフレームを共用ＯＴＵフレームにマッピングする。これにより、本実施例に係る障害復旧方式では、ＯＴＵフレームのＯＨに格納される既存のＡＰＳ／ＰＣＣバイトの障害情報を用いるだけで障害を復旧する。そして、障害を復旧するにあたって、独自のスイッチング処理等を行う必要はなくなっている。【００２９】
次に、実施例２に係る伝送装置の構成について説明する。図２に示した伝送装置１１０ａ及び伝送装置１１０ｅは、いずれも同様の構成を有するため、ここでは伝送装置１１０ａを例にして説明することとする。図３は、実施例２に係る伝送装置１１０ａの構成を示すブロック図である。【００３０】
同図に示すように、伝送装置１１０ａは、インターフェース（ＩＦ：Interface）カード１２０と、ＩＦカード１３０と、ＩＦカード１４０と、スイッチ（ＳＷ：Switch）カード１５０とを有する。また、伝送装置１１０ａは、ＣＰＵ（Central  Processing  Unit）カード１６０と、共用ＩＦカード１７０とを有する。なお、ここでは、非共用部側にＩＦカードが３つ存在する例を示しているが、ＩＦカードの数はいくつであってもかまわない。【００３１】
ＩＦカード１２０は、リング１から入力又はリング１へ出力するＯＴＵフレームを処理するとともに、共用ＩＦカード１７０から入力又は共用ＩＦカード１７０へ出力するＯＤＵフレームを処理する処理部である。ＩＦカード１２０は、ＯＴＵ処理部１２１と、ＯＤＵ処理部１２２と、ＯＤＵ冗長処理部１２３とを有する。【００３２】
ＯＴＵ処理部１２１は、リング１からＯＴＵフレームを受信すると、受信したＯＴＵフレームをＯＤＵフレームとＯＨとに分離し、ＯＤＵフレームをＯＤＵ処理部１２２へ出力するとともに、ＯＨを用いた所定の処理を実行する。また、ＯＴＵ処理部１２１は、ＯＤＵ処理部１２２からＯＤＵフレームを受信すると、受信したＯＤＵフレームにＯＨを付加してＯＴＵフレームを生成し、生成したＯＴＵフレームをリング１へ出力する。【００３３】
ＯＤＵ処理部１２２は、ＯＴＵ処理部１２１から入力されるＯＤＵフレームのＯＨからＡＰＳ／ＰＣＣを抽出し、抽出したＡＰＳ／ＰＣＣをＣＰＵカード１６０へ出力するとともに、抽出後のＯＤＵフレームをＯＤＵ冗長処理部１２３へ出力する。また、ＯＤＵ処理部１２２は、ＯＤＵ冗長処理部１２３から入力されるＯＤＵフレームをＯＴＵ処理部１２１へ引き渡す。【００３４】
ＯＤＵ冗長処理部１２３は、ＡＰＳ処理部１６３からプロテクション指示を受け付けていない場合、すなわち、通常運用の状態において、ＯＤＵ処理部１２２から入力されるＯＤＵフレームをＳＷカード１５０へ出力する。また、ＯＤＵ冗長処理部１２３は、通常運用の状態において、ＳＷカード１５０から入力されるＯＤＵフレームをＯＤＵ処理部１２２へ引き渡す。【００３５】
一方、ＯＤＵ冗長処理部１２３は、ＡＰＳ処理部１６３からプロテクション指示を受け付けた場合、すなわち、障害の発生時において、ＯＤＵ処理部１２２から入力されるＯＤＵフレームをＳＷカード１５０及び共用ＩＦカード１７０へ出力する。また、ＯＤＵ冗長処理部１２３は、障害の発生時において、ＳＷカード１５０及び共用ＩＦカード１７０から入力されるＯＤＵフレームをＯＤＵ処理部１２２へ引き渡す。【００３６】
ＩＦカード１３０は、リング２から入力されるＯＴＵフレーム又はリング２へ出力するＯＴＵフレームを処理するとともに、共用ＩＦカード１７０から入力されるＯＤＵフレーム又は共用ＩＦカード１７０へ出力するＯＤＵフレームを処理する処理部である。ＩＦカード１３０は、ＯＴＵ処理部１３１と、ＯＤＵ処理部１３２と、ＯＤＵ冗長処理部１３３とを有する。ここで、ＯＴＵ処理部１３１、ＯＤＵ処理部１３２、ＯＤＵ冗長処理部１３３は、それぞれＯＴＵ処理部１２１、ＯＤＵ処理部１２２、ＯＤＵ冗長処理部１２３と同様の構成を有するため、その説明を省略する。【００３７】
ＩＦカード１４０は、リング３から入力されるＯＴＵフレーム又はリング３へ出力するＯＴＵフレームを処理するとともに、共用ＩＦカード１７０から入力されるＯＤＵフレーム又は共用ＩＦカード１７０へ出力するＯＤＵフレームを処理する処理部である。ＩＦカード１４０は、ＯＴＵ処理部１４１と、ＯＤＵ処理部１４２と、ＯＤＵ冗長処理部１４３とを有する。ここで、ＯＴＵ処理部１４１、ＯＤＵ処理部１４２、ＯＤＵ冗長処理部１４３は、それぞれＯＴＵ処理部１２１、ＯＤＵ処理部１２２、ＯＤＵ冗長処理部１２３と同様の構成を有するため、その説明を省略する。【００３８】
ＳＷカード１５０は、異なるリング間におけるスイッチング処理を実行する処理部である。ＳＷカード１５０は、ＳＷ部１５１を有する。ＳＷ部１５１は、ＩＦカード１２０〜１４０を介してリング１〜３から入力されるＯＤＵフレームを予め定められた転送先のＩＦカードへ出力する。例えば、ＳＷ部１５１は、ＩＦカード１２０を介してリング１から入力されるＯＤＵフレームを予め定められた転送先であるＩＦカード１４０へ出力する。【００３９】
ＣＰＵカード１６０は、伝送装置１１０ａによる障害復旧処理を管理統括する制御部であり、ＡＰＳ情報格納部１６１と、ＰＳＩ情報格納部１６２と、ＡＰＳ処理部１６３とを有する。なお、ＡＰＳ処理部１６３は、実施例１における判定部１１の一例である。【００４０】
ＡＰＳ情報格納部１６１は、各リングについて、その状態を示すＡＰＳ情報を記憶する。具体的には、ＡＰＳ情報格納部１６１は、ＡＰＳ情報として、ＭＦＡＳ、Ｒｉｎｇ＃、Ｓｔａｔｅといった項目を対応付けて記憶する。ＭＦＡＳは、共用ＯＴＵフレームにマッピングされるＯＴＵフレームの種別を示す。Ｒｉｎｇ＃は、ＭＦＡＳで示されるＯＴＵフレームが伝送されるリングを一意に識別する識別子を示す。Ｓｔａｔｅは、Ｒｉｎｇ＃で識別されるリングの状態を示し、通常運用を示すＮＲ（No  Request）や信号断を示すＳＦ（Signal  Fail）が格納される。【００４１】
図３の例では、ＭＦＡＳ「＊＊＊＊０００１」で示されるＯＴＵフレームが伝送されるＲｉｎｇ＃「１」（リング１）の状態Ｓｔａｔｅが、「ＮＲ」（通常運用）であることが分かる。また、ＭＦＡＳ「＊＊＊＊００１０」で示されるＯＴＵフレームが伝送されるＲｉｎｇ＃「２」（リング２）の状態Ｓｔａｔｅが、「ＮＲ」（通常運用）であることが分かる。また、ＭＦＡＳ「＊＊＊＊００１１」で示されるＯＴＵフレームが伝送されるＲｉｎｇ＃「３」（リング３）の状態Ｓｔａｔｅが、「ＮＲ」（通常運用）であることが分かる。【００４２】
ＰＳＩ情報格納部１６２は、共用ＯＴＵフレームのＯＰＵ−Ｐａｙｌｏａｄに如何なるデータが収容されているかを示す情報であるＰＳＩ（Payload  Structure  Identifier）情報を記憶する。具体的には、ＰＳＩ情報格納部１６２は、ＰＳＩ情報として、ＴＳ＃、収容ＯＤＵといった項目を対応付けて記憶する。ＴＳ＃は、共用ＯＴＵフレームのＯＰＵ−Ｐａｙｌｏａｄを複数区切ったデータ収容領域であるＴＳ（Tributary  slot）を一意に識別する識別子を示す。収容ＯＤＵは、ＴＳ＃で識別されるＴＳに実際に収容されるＯＤＵを示す。【００４３】
図３の例では、全てのＴＳ＃１〜ｎに何らのデータも収容されていないことを示すｎｕｌｌが格納されているため、共用ＯＴＵフレームのＯＰＵ−ＰａｙｌｏａｄにＯＤＵが収容されていなことが分かる。【００４４】
ＡＰＳ処理部１６３は、各リング１〜３から受信されたＯＴＵフレームに、各リング１〜３にて障害が発生したことを示す障害情報が含まれているか否かを判定する。具体的には、ＡＰＳ処理部１６３は、ＯＤＵ処理部１２２、１３２及び１４２から入力されるＡＰＳ／ＰＣＣを解析し、各リング１〜３から受信されたＯＴＵフレームごとに、信号断を表す障害情報であるＳＦが含まれているか否かを判定する。【００４５】
そして、ＡＰＳ処理部１６３は、全てのＯＴＵフレームにＳＦが含まれていない場合には、ＡＰＳ情報格納部１６１において、各Ｒｉｎｇ＃のＳｔａｔｅを「ＮＲ」（通常運用）に維持する。これとともに、ＡＰＳ処理部１６３は、ＰＳＩ情報格納部１６２において、各ＴＳ＃の収容ＯＤＵを「ｎｕｌｌ」に維持する。【００４６】
一方、ＡＰＳ処理部１６３は、各リング１〜３から受信されたＯＴＵフレームのいずれかにＳＦが含まれている場合には、ＡＰＳ情報格納部１６１において、ＳＦが含まれるＲｉｎｇ＃のＳｔａｔｅを「ＮＲ」（通常運用）から「ＳＦ」（信号断）に変更する。例えば、リング１から受信されたＯＴＵフレームにＳＦが含まれている場合には、ＡＰＳ処理部１６３は、リング１に対応するＲｉｎｇ＃「１」のＳｔａｔｅを「ＳＦ」に変更する。【００４７】
これとともに、ＡＰＳ処理部１６３は、ＰＳＩ情報格納部１６２において、ＳＦが含まれるＲｉｎｇ＃に応じて予め定められたＴＳ＃の収容ＯＤＵを実際に収容されるＯＤＵに変更する。例えば、リング１から受信されたＯＴＵフレームのＯＤＵをＯＤＵｘとすると、当該ＯＴＵフレームにＳＦが含まれている場合には、Ｒｉｎｇ＃「１」に応じて予め定められたＴＳ＃「１」〜「３」の収容ＯＤＵを「ｎｕｌｌ」から「ＯＤＵｘ」に変更する。【００４８】
また、ＡＰＳ処理部１６３は、各リング１〜３から受信されたＯＴＵフレームのいずれかにＳＦが含まれている場合には、ＯＤＵ冗長処理部１２３、１３３及び１４３に対してプロテクション処理を指示するためのプロテクション指示を出力する。【００４９】
共用ＩＦカード１７０は、ＩＦカード１２０、１３０及び１４０から入力又はＩＦカード１２０、１３０及び１４０へ出力するＯＤＵフレームを処理するとともに、共用部から入力又は共用部へ出力する共用ＯＴＵフレームを処理する処理部である。共用ＩＦカード１７０は、ＬＯ（Lower  Order）−ＯＤＵ送受部１７１〜１７３と、ＨＯ（Higher-Order）―ＯＤＵ処理部１７４と、ＯＴＵ処理部１７５とを有する。なお、ＨＯ−ＯＤＵ処理部１７４は、実施例１におけるマッピング部１２の一例である。【００５０】
ＬＯ−ＯＤＵ送受部１７１〜１７３は、それぞれＩＦカード１２０、１３０及び１４０から入力されるＯＤＵフレームをＨＯ−ＯＤＵ処理部１７４へ出力する。また、ＬＯ−ＯＤＵ送受部１７１〜１７３は、ＨＯ−ＯＤＵ処理部１７４から入力されるＯＤＵフレームをそれぞれＩＦカード１２０、１３０及び１４０へ出力する。【００５１】
ＨＯ−ＯＤＵ処理部１７４は、ＡＰＳ処理部１６３によってＳＦが含まれていると判定されたＯＴＵフレームを、共用ＯＴＵフレームにマッピングし、マッピング後の共用ＯＴＵフレームをＯＴＵ処理部１７５へ出力する。具体的には、ＨＯ−ＯＤＵ処理部１７４は、ＡＰＳ情報格納部１６１を参照して、リングの状態Ｓｔａｔｅが「ＳＦ」（信号断）となっているＲｉｎｇ＃で識別されるリングを特定する。そして、ＨＯ−ＯＤＵ処理部１７４は、ＰＳＩ情報格納部１６２のＴＳ＃で示される共用ＯＴＵフレームのＯＰＵ−Ｐａｙｌｏａｄに対して、特定されたリングに対応するＬＯ−ＯＤＵ送受部から入力されるＯＤＵフレームをマッピングする。そして、ＨＯ−ＯＤＵ処理部１７４は、ＯＤＵフレームをマッピングした共用ＯＴＵフレームをＯＴＵ処理部１７５へ出力する。【００５２】
例えば、ＡＰＳ情報格納部１６１において、Ｒｉｎｇ＃「１」（リング１）のリングの状態Ｓｔａｔｅが「ＳＦ」（信号断）となっているとすると、ＨＯ−ＯＤＵ処理部１７４は、Ｒｉｎｇ＃「１」で識別されるリング１を特定する。そして、ＨＯ−ＯＤＵ処理部１７４は、ＰＳＩ情報格納部１６２のＴＳ＃「１」〜「３」で示される共用ＯＴＵフレームのＯＰＵ−Ｐａｙｌｏａｄに対して、リング１に対応するＬＯ−ＯＤＵ送受部１７１から入力されるＯＤＵフレームをマッピングする。そして、ＨＯ−ＯＤＵ処理部１７４は、ＯＤＵフレームをマッピングした共用ＯＴＵフレームをＯＴＵ処理部１７５へ出力する。【００５３】
また、ＨＯ−ＯＤＵ処理部１７４は、ＯＴＵ処理部１７５から入力される後述の共用ＯＤＵフレームから、ＡＰＳ処理部１６３によってＳＦが含まれていると判定されたＯＤＵフレームをデマッピングする。そして、ＨＯ−ＯＤＵ処理部１７４は、デマッピング後のＯＤＵフレームをＬＯ−ＯＤＵ送受部１７１〜１７３へ出力する。【００５４】
ＯＴＵ処理部１７５は、ＨＯ−ＯＤＵ処理部１７４から入力される共用ＯＴＵフレームのＯＨに各種の運用管理情報を格納し、格納後の共有ＯＴＵフレームを共有部へ出力する。また、ＯＴＵ処理部１７５は、共用部から共用ＯＴＵフレームを受信すると、受信した共用ＯＴＵフレームをＯＤＵフレームとＯＨとに分離し、分離したＯＤＵフレーム（以下「共用ＯＤＵフレーム」という）をＨＯ−ＯＤＵ処理部１７４へ出力する。また、ＯＴＵ処理部１７５は、分離したＯＨを用いた所定の処理を実行する。【００５５】
次に、実施例２に係る伝送装置による処理手順について説明する。図４は、実施例２に係る伝送装置１１０ａによる処理手順を示すフローチャートである。なお、図４では、伝送装置１１０ａにおけるＣＰＵカード１６０及び共用ＩＦカード１７０の処理手順を説明する。【００５６】
同図に示すように、ＣＰＵカード１６０のＡＰＳ処理部１６３は、ＯＤＵ処理部１２２、１３２及び１４２から入力されるＡＰＳ／ＰＣＣを解析し、各リング１〜３から受信されたＯＴＵフレームごとに、ＳＦが含まれているか否かを判定する（ステップＳ１１）。【００５７】
そして、全てのＯＴＵフレームにＳＦが含まれていない場合には（ステップＳ１１否定）、ＡＰＳ処理部１６３は、ＡＰＳ情報格納部１６１及びＰＳＩ情報格納部１６２を現状に維持し（ステップＳ１２）、処理を終了する。つまり、ＡＰＳ処理部１６３は、ＡＰＳ情報格納部１６１において、各Ｒｉｎｇ＃のＳｔａｔｅを「ＮＲ」（通常運用）に維持するとともに、ＰＳＩ情報格納部１６２において、各ＴＳ＃の収容ＯＤＵを「ｎｕｌｌ」に維持する。【００５８】
一方、ＡＰＳ処理部１６３は、各リング１〜３から受信されたＯＴＵフレームのいずれかにＳＦが含まれている場合には（ステップＳ１１肯定）、ＡＰＳ情報格納部１６１において、ＳＦが含まれるＲｉｎｇ＃のＳｔａｔｅを「ＳＦ」（信号断）に変更する。これとともに、ＡＰＳ処理部１６３は、ＰＳＩ情報格納部１６２において、ＳＦが含まれるＲｉｎｇ＃に応じて予め定められたＴＳ＃の収容ＯＤＵを実際に収容されるＯＤＵに変更する（ステップＳ１３）。【００５９】
例えば、リング１から受信されたＯＴＵフレームにＳＦが含まれている場合には、ＡＰＳ処理部１６３は、リング１に対応するＲｉｎｇ＃「１」のＳｔａｔｅを「ＮＲ」（通常運用）から「ＳＦ」（信号断）に変更する。これとともに、ＡＰＳ処理部１６３は、Ｒｉｎｇ＃「１」に応じて予め定められたＴＳ＃「１」〜「３」の収容ＯＤＵを「ｎｕｌｌ」から「ＯＤＵｘ」に変更する。【００６０】
続いて、共用ＩＦカード１７０のＨＯ−ＯＤＵ処理部１７４は、ＡＰＳ情報格納部１６１を参照して、リングの状態Ｓｔａｔｅが「ＳＦ」（信号断）となっているＲｉｎｇ＃で識別されるリングを特定する（ステップＳ１４）。そして、ＨＯ−ＯＤＵ処理部１７４は、ＰＳＩ情報格納部１６２のＴＳ＃で示される共用ＯＴＵフレームのＯＰＵ−Ｐａｙｌｏａｄに対して、特定されたリングに対応するＬＯ−ＯＤＵ送受部から入力されるＯＤＵフレームをマッピングする（ステップＳ１５）。そして、ＨＯ−ＯＤＵ処理部１７４は、ＯＤＵフレームをマッピングした共用ＯＴＵフレームをＯＴＵ処理部１７５を介して共用部へ出力する（ステップＳ１６）。【００６１】
例えば、ＡＰＳ情報格納部１６１において、Ｒｉｎｇ＃「１」（リング１）のリングの状態Ｓｔａｔｅが「ＳＦ」（信号断）となっているとすると、ＨＯ−ＯＤＵ処理部１７４は、Ｒｉｎｇ＃「１」で識別されるリング１を特定する。そして、ＨＯ−ＯＤＵ処理部１７４は、ＰＳＩ情報格納部１６２のＴＳ＃「１」〜「３」で示される共用ＯＴＵフレームのＯＰＵ−Ｐａｙｌｏａｄに対して、リング１に対応するＬＯ−ＯＤＵ送受部１７１から入力されるＯＤＵフレームをマッピングする。そして、ＨＯ−ＯＤＵ処理部１７４は、ＯＤＵフレームをマッピングした共用ＯＴＵフレームをＯＴＵ処理部１７５を介して共用部へ出力する。【００６２】
上述したように、伝送装置１１０ａは、複数のリングの一部を共用したネットワークにおける各リングから受信したＯＴＵフレームにＳＦが含まれると、ＳＦが含まれるリングからのＯＴＵフレームを共用ＯＴＵフレームにマッピングする。このため、伝送装置１１０ａは、ＯＴＵフレームのＯＨに格納される既存のＡＰＳ／ＰＣＣバイトの障害情報を用いるだけで障害を復旧することができ、従来のマルチリング構成のような独自のスイッチング処理を省略することができる。その結果、伝送装置１１０ａは、障害復旧に伴う処理を簡素化することができる。
【実施例３】
【００６３】
上記実施例２では、ＳＦが含まれていると判定されたＯＴＵフレームを、共用ＯＴＵフレームにマッピングし、マッピング後の共用ＯＴＵフレームを共用部へ出力する例を示した。しかし、ＳＦが含まれていないと判定されたＯＴＵフレームの一部を共用ＯＴＵレームに予めマッピングし、ＳＦがＯＴＵフレームに含まれていると判定された場合に、予めマッピングしたＯＴＵフレームの一部を拡張するようにしてもよい。そこで、実施例３では、ＳＦが含まれていないと判定されたＯＴＵフレームの一部を共用ＯＴＵレームに予めマッピングし、ＳＦがＯＴＵフレームに含まれていると判定された場合に、予めマッピングしたＯＴＵフレームの一部を拡張する例について説明する。【００６４】
まず、実施例３に係る伝送装置による障害復旧方式について説明する。図５は、実施例３に係る伝送装置による障害復旧方式について説明するための図である。なお、以下では、図２で既に説明した構成部位と同様の部位には同一符号を付すこととして、その詳細な説明を省略する。【００６５】
図５に示したネットワークは、リング１〜３において、伝送装置１１０ａと伝送装置１１０ｅの区間を共用している。共用部に設置された伝送装置１１０ａと伝送装置１１０ｅとが、本実施例に係る障害復旧方式を実行する伝送装置である。他の伝送装置は、ＡＰＳ／ＢＬＳＲリングネットワークに適用される公知の伝送装置である。本実施例に係る伝送装置１１０ａ及び伝送装置１１０ｅは、いずれも同様の構成を有するため、以下では伝送装置１１０ａを例にして説明する。【００６６】
本実施例に係る障害復旧方式では、ＳＦが含まれていないと判定されたＯＴＵフレームの一部を共用ＯＴＵレームに予めマッピングし、ＳＦがＯＴＵフレームに含まれていると判定された場合に、予めマッピングしたＯＴＵフレームの一部を拡張する。【００６７】
通常運用の状態では、伝送装置１１０ａは、各リング１〜３から受信したＯＴＵフレームにＳＦが含まれているか否かを判定し、ＳＦが含まれていないと判定する。本実施例に係る伝送装置１１０ａは、ＳＦが含まれていないと判定されたＯＴＵフレームの一部を共用部である伝送装置１１０ａと伝送装置１１０ｅとの間の回線で用いられる共用ＯＴＵフレームに予めマッピングしておく（状態３０）。【００６８】
例えば、伝送装置１１０ａは、リング１から受信したＯＴＵフレームにＳＦが含まれていないと判定すると、リング１から受信したＯＴＵフレームの一部を共用ＯＴＵフレームに予めマッピングする。【００６９】
ここで、リング１における伝送装置１１０ｂと伝送装置１１０ｃとの間の回線にＳＦ等の障害１１３が発生したものとする。伝送装置１１０ｂ及び伝送装置１１０ｃは、障害１１３を検知すると、リング１にて障害が発生したことを示す障害情報をＯＴＵフレームに含め、障害情報を含んだＯＴＵフレームを、これまで使用していた経路Ｐ１とは反対側の予備の経路Ｐ３に切り替えて送信する。障害１１３が発生した状態では、伝送装置１１０ａは、各リング１〜３から受信したＯＴＵフレームに障害情報が含まれているか否かを判定し、リング１にて障害が発生したことを示す障害情報が含まれていると判定する。そして、伝送装置１１０ａは、共用ＯＴＵフレームに予めマッピングされたＯＴＵフレームの一部を拡張することで、当該ＯＴＵフレームを共用ＯＴＵフレームにマッピングする。共用ＯＴＵフレームのＯＰＵ−Ｐａｙｌｏａｄには、リング１からのＯＴＵフレームのＯＤＵであるＯＤＵｘが収容される（状態３１）。【００７０】
状態３０から状態３１への遷移により、リング１にて発生した障害１１３が復旧され、リング１の伝送装置１１０ｄは、リング３の伝送装置１１０ｊとの間でＯＴＵフレームの送受を再開することができる。【００７１】
このように、本実施例に係る障害復旧方式では、ＳＦが含まれていないと判定されたＯＴＵフレームの一部を共用ＯＴＵレームに予めマッピングし、ＳＦがＯＴＵフレームに含まれていると判定された場合に、予めマッピングしたＯＴＵフレームの一部を拡張する。これにより、本実施例に係る障害復旧方式では、ＳＦが含まれるリングからのＯＴＵフレームを共用ＯＴＵフレームに対して効率的にマッピングすることができる。【００７２】
次に、実施例３に係る伝送装置の構成について説明する。図５に示した伝送装置１１０ａ及び伝送装置１１０ｅは、いずれも同様の構成を有するため、ここでは伝送装置１１０ａを例にして説明することとする。図６は、実施例３に係る伝送装置１１０ａの構成を示すブロック図である。なお、以下では図３で既に説明した構成部位と同様の部位には同一符号を付すこととして、その詳細な説明を省略する。【００７３】
同図に示すように、伝送装置１１０ａは、図３に示した共用ＩＦカード１７０の代わりに、共用ＩＦカード１８０を有する。共用ＩＦカード１８０は、ＩＦカード１２０、１３０及び１４０から入力又はＩＦカード１２０、１３０及び１４０へ出力するＯＤＵフレームを処理するとともに、共用部から入力又は共用部へ出力する共用ＯＴＵフレームを処理する処理部である。共用ＩＦカード１８０は、ＬＯ−ＯＤＵ送受部１８１〜１８３と、ＨＯ−ＯＤＵ処理部１８４と、ＯＴＵ処理部１７５とを有する。なお、ＬＯ−ＯＤＵ送受部１８１〜１８３及びＨＯ−ＯＤＵ処理部１８４は、実施例１におけるマッピング部１２の一例である。【００７４】
ＬＯ−ＯＤＵ送受部１８１〜１８３は、それぞれＩＦカード１２０、１３０及び１４０から入力されるＯＤＵフレームをＨＯ−ＯＤＵ処理部１８４へ出力する。また、ＬＯ−ＯＤＵ送受部１８１〜１８３は、ＨＯ−ＯＤＵ処理部１８４から入力されるＯＤＵフレームをそれぞれＩＦカード１２０、１３０及び１４０へ出力する。【００７５】
また、ＬＯ−ＯＤＵ送受部１８１〜１８３は、ＡＰＳ処理部１６３によってＳＦが含まれていないと判定されたＯＴＵフレームの一部を共用ＯＴＵフレームに予めマッピングする。具体的には、ＬＯ−ＯＤＵ送受部１８１〜１８３は、ＡＰＳ情報格納部１６１を参照して、リングの状態Ｓｔａｔｅが「ＮＲ」（通常運用）となっているＲｉｎｇ＃で識別されるリングを特定する。そして、ＬＯ−ＯＤＵ送受部１８１〜１８３は、特定されたリングから受信したＯＴＵフレームの一部を共用ＯＴＵフレームに予めマッピングする。【００７６】
ＨＯ−ＯＤＵ処理部１８４は、ＡＰＳ処理部１６３によりＳＦが含まれていると判定されると、共用ＯＴＵフレームに予めマッピングされたＯＴＵフレームの一部を拡張し、拡張後の共用ＯＴＵフレームをＯＴＵ処理部１７５へ出力する。具体的には、ＨＯ−ＯＤＵ処理部１８４は、ＡＰＳ情報格納部１６１を参照して、リングの状態Ｓｔａｔｅが「ＳＦ」（信号断）となっているＲｉｎｇ＃で識別されるリングを特定する。そして、ＨＯ−ＯＤＵ処理部１８４は、ＰＳＩ情報格納部１６２のＴＳ＃で示される共用ＯＴＵフレームに予めマッピングされたＯＴＵフレームの一部を拡張する。そして、ＨＯ−ＯＤＵ処理部１８４は、ＯＴＵフレームの一部を拡張した共用ＯＴＵフレームをＯＴＵ処理部１７５へ出力する。【００７７】
また、ＨＯ−ＯＤＵ処理部１８４は、ＯＴＵ処理部１７５から入力される共用ＯＤＵフレームから、ＡＰＳ処理部１６３によってＳＦが含まれていると判定されたＯＤＵフレームをデマッピングする。そして、ＨＯ−ＯＤＵ処理部１８４は、デマッピング後のＯＤＵフレームをＬＯ−ＯＤＵ送受部１８１〜１８３へ出力する。【００７８】
次に、実施例３に係る伝送装置による処理手順について説明する。図７は、実施例３に係る伝送装置１１０ａによる処理手順を示すフローチャートである。なお、図７では、伝送装置１１０ａにおけるＣＰＵカード１６０及び共用ＩＦカード１８０の処理手順を説明する。【００７９】
同図に示すように、ＣＰＵカード１６０のＡＰＳ処理部１６３は、ＯＤＵ処理部１２２、１３２及び１４２から入力されるＡＰＳ／ＰＣＣを解析し、各リング１〜３から受信されるＯＴＵフレームごとに、ＳＦが含まれているか否かを判定する（ステップＳ２１）。【００８０】
そして、全てのＯＴＵフレームにＳＦが含まれていない場合には（ステップＳ２１否定）、ＡＰＳ処理部１６３は、ＡＰＳ情報格納部１６１及びＰＳＩ情報格納部１６２を現状に維持する（ステップＳ２２）。つまり、ＡＰＳ処理部１６３は、ＡＰＳ情報格納部１６１において、各Ｒｉｎｇ＃のＳｔａｔｅを「ＮＲ」（通常運用）に維持するとともに、ＰＳＩ情報格納部１６２において、各ＴＳ＃の収容ＯＤＵを「ｎｕｌｌ」に維持する。そして、共用ＩＦカード１８０のＬＯ−ＯＤＵ送受部１８１〜１８３は、ＡＰＳ処理部１６３によってＳＦが含まれていないと判定されたＯＴＵフレームの一部を共用ＯＴＵフレームに予めマッピングする（ステップＳ２３）。【００８１】
一方、ＡＰＳ処理部１６３は、各リング１〜３から受信されたＯＴＵフレームのいずれかにＳＦが含まれている場合には（ステップＳ２１肯定）、ＡＰＳ情報格納部１６１において、ＳＦが含まれるＲｉｎｇ＃のＳｔａｔｅを「ＳＦ」（信号断）に変更する。これとともに、ＡＰＳ処理部１６３は、ＰＳＩ情報格納部１６２において、ＳＦが含まれるＲｉｎｇ＃に応じて予め定められたＴＳ＃の収容ＯＤＵを実際に収容されるＯＤＵに変更する（ステップＳ２４）。【００８２】
例えば、リング１から受信されたＯＴＵフレームにＳＦが含まれている場合には、ＡＰＳ処理部１６３は、リング１に対応するＲｉｎｇ＃「１」のＳｔａｔｅを「ＮＲ」（通常運用）から「ＳＦ」（信号断）に変更する。これとともに、ＡＰＳ処理部１６３は、Ｒｉｎｇ＃「１」に応じて予め定められたＴＳ＃「１」〜「３」の収容ＯＤＵを「ｎｕｌｌ」から「ＯＤＵｘ」に変更する。【００８３】
続いて、共用ＩＦカード１８０のＨＯ−ＯＤＵ処理部１８４は、ＡＰＳ情報格納部１６１を参照して、リングの状態Ｓｔａｔｅが「ＳＦ」（信号断）となっているＲｉｎｇ＃で識別されるリングを特定する（ステップＳ２５）。そして、ＨＯ−ＯＤＵ処理部１８４は、ＰＳＩ情報格納部１６２のＴＳ＃で示される共用ＯＴＵフレームに予めマッピングされたＯＴＵフレームの一部を拡張する（ステップＳ２６）。そして、ＨＯ−ＯＤＵ処理部１８４は、ＯＴＵフレームの一部を拡張した共用ＯＴＵフレームをＯＴＵ処理部１７５を介して共用部へ出力する（ステップＳ２７）。【００８４】
上述したように、伝送装置１１０ａは、ＳＦが含まれていないと判定されたＯＴＵフレームの一部を共用ＯＴＵフレームに予めマッピングし、ＳＦがＯＴＵフレームに含まれていると判定された場合に、予めマッピングしたＯＴＵフレームの一部を拡張する。これにより、伝送装置１１０ａは、ＳＦが含まれるリングからのＯＴＵフレームを共用ＯＴＵフレームに対して効率的にマッピングすることができる。【００８５】
さて、これまで本発明の実施例について説明したが、本発明は上述した実施例以外にも、特許請求の範囲に記載した技術的思想の範囲内において、種々の異なる実施例にて実施することもできる。【００８６】
例えば、上記実施例２及び３では、共用部である伝送装置１１０ａと伝送装置１１０ｅとの区間を１つのリンクで接続する構成を示したがこれに限定されるものではない。以下、図８を用いて伝送装置１１０ａの他の構成例について説明する。【００８７】
図８は、伝送装置１１０ａの他の構成例１を説明するための図である。図８に示すように、共用部である伝送装置１１０ａと伝送装置１１０ｅとの区間を並列な２つのリンクで接続するようにしてもよい。この場合、共用ＯＴＵフレームのＯＤＵ−ＯＨのＡＰＳ／ＰＣＣは、ＭＦＡＳ「＊＊＊＊００００」に共用ＯＴＵフレームを定義し、対応するＲｉｎｇ＃に２つのリンクのうち一方のリンク「Ｓｈａｒｅ１」を定義する。このような構成例１では、ＭＦＡＳ「＊＊＊＊００００」で示される共有ＯＴＵフレームが伝送されるＲｉｎｇ＃「Ｓｈａｒｅ１」（一方のリンク）の状態Ｓｔａｔｅが、「ＮＲ」（通常運用）から「ＳＦ」（信号断）となると、共用ＯＴＵフレームを強制的に他方のリンクへ出力する。すなわち、構成例１に係る伝送装置１１０ａでは、判定部が、共用部である伝送装置１１０ａと伝送装置１１０ｅとの区間を接続する並列な２つのリンクのうちの一方のリンクから受信された共用ＯＴＵフレームに、該一方のリンクにて障害が発生したことを示す障害情報が含まれているか否かを判定する。そして、マッピング部が、判定部によって障害情報が含まれていると判定された共用ＯＴＵフレームを、障害が発生した一方のリンク以外の他方のリンクで用いられる共用ＯＴＵフレームにマッピングする。このため、構成例１によれば、共用部である伝送装置１１０ａと伝送装置１１０ｅとの区間に対してリンク冗長を提供することができる。なお、図８に示した例では、共用部である伝送装置１１０ａと伝送装置１１０ｅとの区間を並列な２つのリンクで接続する例を示したが、共用部を接続するリンクの数は、２つ以上であってもよい。【００８８】
また、上記実施例２及び３では、伝送装置１１０ａは、リング１にて発生した障害１１３近傍の伝送装置１１０ｂに向けてＯＴＵフレームを出力し、伝送装置１１０ｂで折り返されたＯＴＵフレームを受け取る構成としたがこれに限定されるものではない。以下、図９を用いて伝送装置１１０ａの他の構成例について説明する。【００８９】
図９は、伝送装置１１０ａの他の構成例２を説明するための図である。図９に示すように、伝送装置１１０ａは、リング１にて発生した障害１１３近傍の伝送装置１１０ｂではなく、リング３の伝送装置１１０ｉに向けてＯＴＵフレームを出力するようにしてもよい。なお、障害の検出及びＯＴＵフレームの出力対象の変更は、Ｇ．７０９で規定されるＴＣＭ（Tandem  Connection  Monitoring）機能を用いることで実現される。【００９０】
また、上記実施例２及び３では、本願の開示する伝送装置を、３つのリング１〜３を含んだマルチリング構成における一つの共用部に設置された伝送装置１１０ａ及び伝送装置１１０ｅに適用する例を示したがこれに限定されるものではない。例えば、図１０に示すようなマルチリング構成における二つの共用部に設置された伝送装置Ａ、Ｂ、Ｆ及びＥに本願の開示する伝送装置を適用することもできる。なお、図１０は、伝送装置の他の構成例３を説明するための図である。【００９１】
なお、上記実施例において説明した各処理のうち、自動的におこなわれるものとして説明した処理の全部または一部を手動的におこなうこともできる。この他、上記文章中や図面中で示した処理手順、制御手順、具体的名称、各種のデータやパラメータを含む情報については、特記する場合を除いて任意に変更することができる。【００９２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。  【００９３】
なお、本実施例で説明した各処理は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００９４】
１０ａ〜１０ｋ、１１０ａ〜１１０ｋ  伝送装置
１１  判定部
１２  マッピング部
１２０、１３０、１４０  ＩＦカード
１２１、１３１、１４１  ＯＴＵ処理部
１２２、１３２、１４２  ＯＤＵ処理部
１２３、１３３、１４３  ＯＤＵ冗長処理部
１５０  ＳＷカード
１５１  ＳＷ部
１６０  ＣＰＵカード
１６１  ＡＰＳ情報格納部
１６２  ＰＳＩ情報格納部
１６３  ＡＰＳ処理部
１７０、１８０  共用ＩＦカード
１７１〜１７３、１８１〜１８３  ＬＯ−ＯＤＵ送受部
１７４、１８４  ＨＯ−ＯＤＵ処理部
１７５  ＯＴＵ処理部
【図１】
2011114537.tif 000003
【図２】
2011114537.tif 000004
【図３】
2011114537.tif 000005
【図４】
2011114537.tif 000006
【図５】
2011114537.tif 000007
【図６】
2011114537.tif 000008
【図７】
2011114537.tif 000009
【図８】
2011114537.tif 000010
【図９】
2011114537.tif 000011
【図１０】
2011114537.tif 000012
【図１１】
2011114537.tif 000013
【国際調査報告】
2011114537.tif 000014
2011114537.tif 000015